(57)【要約】【課題】  試料室内へ導入するガスの最大許容圧力を制限することなく、又、高散乱角円環状検出に基づくＨＡＡＤＦ像観察ができる装置を提供する。【解決手段】電子銃２、試料５がセットされる試料室７、ガス流量制御装置３９及びガスノズル４０を通じて試料５の表面近傍に雰囲気ガスを供給するガスボンベ３７、試料室７内を排気する排気ポンプ３６、上極８´と下極９´間に試料がセットされ電子銃２からの電子ビームが通過する対物レンズ、試料を透過した電子を検出する検出器１５、検出信号に基づいて試料の透過像を表示する表示装置１９、対物レンズの上極８´，下極９´各々の上面部と下面部で電子ビーム光軸Ｏを横切る方向に移動可能で複数の微小孔Ａ，Ｂ，Ｃ，Ｄを有するオリフィス板５０ａ，５０ｂ，５０ｃ，５０ｄをそれぞれ支持するホルダー５１ａ，５１ｂ，５１ｃ，５１ｄと、それらの駆動装置５２と移動制御装置５３を設けた。【選択図】図２
2009152087.tif 000002
【特許請求の範囲】
【請求項１】
電子ビーム発生手段、試料がセットされる試料室、前記試料の少なくとも表面近傍に供給流量を制御してガスを供給するガス供給手段、前記試料室内を排気する排気手段、前記試料室の上部に配設される対物レンズ上極、前記試料室の下部に配設される対物レンズ下極、前記試料を透過した電子を検出する検出手段、及び、該検出手段からの信号に基づいて試料の透過像を表示する表示手段を備えた透過電子顕微鏡において、前記対物レンズ上極，下極の各々の上面部と下面部で前記電子ビーム光軸を横切る方向に移動させることにより、電子ビームを通過させたり遮断したりすることが可能な板が配置されていることを特徴とする透過電子顕微鏡。
【請求項２】
電子ビーム発生手段、試料がセットされる試料室、前記試料の少なくとも表面近傍に供給流量を制御したガスを供給するガス供給手段、前記試料室内を排気する排気手段、前記試料室の上部に配設される対物レンズ上極、前記試料室の下部に配設される対物レンズ下極、前記試料を透過した電子を検出する検出手段、及び、該検出手段からの信号に基づいて試料の透過像を表示する表示手段を備えた透過電子顕微鏡において、前記対物レンズ上極，下極の各々の上面部と下面部で前記電子ビームが通過可能な孔が形成された板が前記電子ビーム光軸を横切る方向に移動可能に配置されていることを特徴とする透過電子顕微鏡
【請求項３】
前記孔は、前記ガスは通さないが、前記電子ビームは通す膜で覆われていることを特徴とする請求項２記載の透過電子顕微鏡。
【請求項４】
前記板には複数の孔が開けられており、その内少なくとも１つは前記ガスは通さないが、前記電子ビームは通す膜で覆われていることを特徴とする請求項２記載の透過電子顕微鏡。
【請求項５】
前記板には複数の孔が開けられており、各々の孔径が異なっていることを特徴とする請求項２記載の透過電子顕微鏡。
【発明の詳細な説明】
【技術分野】
【０００１】
本発明は試料室にガスを供給する手段を備えた透過電子顕微鏡に関する。
【背景技術】
【０００２】
図１は試料室にガスを供給する手段を備えた透過電子顕微鏡の一概略例を示した図である。
【０００３】
図中１は電子銃室で、該電子銃室内には電子ビームを放出する電子銃２が設けられている。
【０００４】
３は照射系レンズ室で、該照射系レンズ室内には前記電子ビームを集束する集束レンズ４と前記集束した電子ビームで試料５表面を二次元的（Ｘ方向，Ｙ方向）に走査するための走査コイル６が設けられている。
【０００５】
７は試料室で、該試料室内に配置された前記試料５はサイドエントリ型の試料ホルダ（図示せず）に装着され、対物レンズ上極８と対物レンズ下極９の間に設置されている。
【０００６】
前記対物レンズ上極８及び下極９の電子ビーム通過孔内には前記試料室７内に導入された雰囲気ガスが他部へ流入するのを阻止するために、夫々、上下にオリフィス１１a，１１b、１１c，１１dが取り付けられている。尚、前記試料室７には該試料室内の真空度を計測する真空計（図示せず）も取り付けられている。
【０００７】
１２は結像系レンズ室で、該結像系レンズ室内には、前記試料５を透過し、前記対物レンズで集束された電子を観察室１３内に配置された蛍光板１４上に拡大して映し出す中間レンズ１６a、投射レンズ１６bが設けられている。
【０００８】
該蛍光板は蛍光板退避手段(図示せず)により電子ビームの光軸Ｏ上から退避し、ＣＣＤカメラ１５は前記拡大された像を検出することができる。該検出された出力信号はＡＤ変換器１７を介して、制御装置１８に送られる。
【０００９】
該制御装置は透過電子顕微鏡を成す各手段の制御、並びに各種演算処理を行ったりするものである。
【００１０】
１９は表示装置で、前記制御装置１８からの画像信号に基づいて表示画面上に試料像（例えば試料に関する透過電子像）を表示する。２０はマウスやキーボードの如き入力装置である。
【００１１】
３１は前記電子銃室１内を排気するための排気ポンプ、３２は前記照射系レンズ室３、前記結像系レンズ室１２及び前記観察室１３内を排気する排気ポンプ、３３は排気管３４を介して前記対物レンズ上極８のオリフィス１１aとオリフィス１１bで囲まれた空間部と、排気管３５を介して対物レンズ下極９のオリフィス１１cとオリフィス１１dで囲まれた空間部の排気を行うための排気ポンプ、３６は前記試料室７内を排気するための排気ポンプである。
【００１２】
３７は前記試料室７に導入される雰囲気ガスが貯蔵されたガスボンベ、３８は該ガスボンベの開閉を行うガスバルブ、３９は前記ガスボンベ３７からの前記雰囲気ガスの流量を調整するガス流量制御装置、４０はその先端が前記試料室７内に配置された試料５の直ぐ上方に位置し、前記ガスボンベ３７から前記雰囲気ガスを前記試料５近傍に導入するためのガスノズルである。
【００１３】
この様な構成の透過電子顕微鏡において、透過電子像を得る場合、電子銃２からの電子ビームは集束レンズ４で集束され、対物レンズ上極８を通り試料５の表面上に集束される。
【００１４】
この時、該試料を透過した電子は対物レンズ下極９，中間レンズ１６a，投射レンズ１６ｂを通って順次拡大され、蛍光板１４上に拡大像を表示する。
【００１５】
前記拡大像は前記蛍光板退避手段（図示せず）により前記蛍光板１４を退避することにより、ＣＣＤカメラ１５に検出される。この出力信号はＡＤ変換器１７を介して制御装置１８に送られ、該制御装置は前記透過電子信号を所定の信号処理を施し、表示装置１９に送るので該表示装置の表示画面上に透過電子像が表示される。
【００１６】
さて、このような透過電子顕微鏡において、試料５近傍に雰囲気ガスを吹き付けて、試料５と雰囲気ガスとの自発的な反応過程をその場観察することがある。
【００１７】
このような像観察を行う場合、前記制御装置１８の指令により前記ガスバルブ３８を開き、前記制御装置１８からの流量駆動信号を前記ガス流量制御装置３９に送ることにより、ガスボンベ３７から所定量の雰囲気ガスをガスノズル４０を介して試料室７内の前記試料５近傍に供給されて、該試料との反応を誘発させる。
【００１８】
この際、前記対物レンズの上極８及び下極９の各々の電子ビーム通過孔の上段、下段のオリフィス１１a，１１b，１１c，１１dにより、前記試料室７内の雰囲気ガスが前記照射系レンズ室３や結像系レンズ室１２内に流入するのが抑制され、それぞれの室内の真空度は通常観察時のレベルに保たれる。
【００１９】
そして、所定の反応後、前記試料５上への前記雰囲気ガスの供給を一旦停止して、前記試料室７内を排気ポンプ３６により排気した後、電子ビームの照射を再開すれば、真空環境の下での試料像を前記表示装置１９に表示させることも可能である。
【００２０】
【特許文献１】特開平成８−３２９８７６号公報
【発明の開示】
【発明が解決しようとする課題】
【００２１】
所で、電子顕微鏡で試料の原子配列を高分解能で観察する場合などでは、暗視野像による観察、例えば、高散乱角円環状検出暗視野（Ｈｉｇｈ  Ａｎｇｌｅ  Ａｎｎｕｌａｒ  Ｄａｒｋ  Ｆｉｅｌｄ：ＨＡＡＤＦ）法が採用されている。この方法では、暗視野用検出器として円環状の検出器を用意し、試料を透過した電子のうち、前記検出器の円環部に入射する様な、高角度で散乱した電子のみを検出器の円環部で検出し、該検出器で検出された電子に基づく暗視野像を表示装置に表示させるようにしている。このような方法で得られた暗視野像は回折効果が少なく原子番号に応じたコントラストを持つ暗視野像を明瞭に観察することができる。
【００２２】
しかし、このような観察方法を試料室にガスを供給する手段を備えた透過電子顕微鏡に適用させた場合、前記高散乱角度で試料を透過する電子は、前記対物レンズ下極９に固定配置されたオリフィス１１c，１１dにより遮断され、観察室１３に配置された暗視野用検出器(図示せず)の検出面に到達できない恐れがある。
【００２３】
また、試料と雰囲気ガスの反応の様子は試料周囲のガス圧力に依存するが、オリフィスが固定配置されると、該オリフィスの開口径が固定されるので、試料室７内に導入できる雰囲気ガスの最大許容圧力が固定されてしまう。
【００２４】
本発明は、この様な問題を解決する新規な透過電子顕微鏡を提供することを目的とする。  
【課題を解決するための手段】
【００２５】
本発明の透過電子顕微鏡は、電子ビーム発生手段、試料がセットされる試料室、前記試料の少なくとも表面近傍に供給流量を制御してガスを供給するガス供給手段、前記試料室内を排気する排気手段、前記試料室の上部に配設される物レンズ上極、前記試料室の下部に配設される対物レンズ下極、前記試料を透過した電子を検出する検出手段、及び、該検出手段からの信号に基づいて試料の透過像を表示する表示手段を備えた透過電子顕微鏡において、前記対物レンズ上極，下極の各々の上面部と下面部で前記電子ビーム光軸を横切る方向に移動させることにより、電子ビームを通過させたり遮断したりすることが可能な板が配置されていることを特徴とする。
【００２６】
又、本発明の透過電子顕微鏡は、電子ビーム発生手段、試料がセットされる試料室、前記試料の少なくとも表面近傍に供給流量を制御したガスを供給するガス供給手段、前記試料室内を排気する排気手段、前記試料室の上部に配設される対物レンズ上極、前記試料室の下部に配設される対物レンズ下極、前記試料を透過した電子を検出する検出手段、及び、該検出手段からの信号に基づいて試料の透過像を表示する表示手段を備えた透過電子顕微鏡において、前記対物レンズ上極，下極の各々の上面部と下面部で前記電子ビームが通過可能な孔が形成された板が前記電子ビーム光軸を横切る方向に移動可能に配置されていることを特徴とする。
【発明の効果】
【００２７】
本発明によれば、試料室にガスを供給する手段を備えた透過電子顕微鏡による像観察において、高散乱角円環状検出暗視野法による暗視野観察時、高角度で散乱した電子が途中で遮蔽されることなく、検出器に十分の量が検出され、ＨＡＡＤＦ像を明瞭に観察することが可能となった。
【００２８】
また、オリフィスの開口径を変えることができるようになったので、試料室内に導入できる雰囲気ガスの最大許容圧力を観察目的に応じて変更できるようになった。
【発明を実施するための最良の形態】
【００２９】
以下に図面に沿って本発明の実施の形態を詳細に説明する。
【００３０】
図２は本発明を実施する装置の一例である試料室にガスを供給する手段を備えた透過電子顕微鏡の一概略例を示したもので、図中前記図１にて使用した記号と同一記号の付されたものは同一構成要素を示す。
【００３１】
図中上極８´，下極９´は、それぞれ、試料室7内の上部，下部に設けられた対物レンズ上極，対物レンズ下極である。
【００３２】
前記対物レンズ上極８´の上面，下面には、それぞれ、該上面，下面に沿って電子ビーム通過孔を横切る方向に移動可能なオリフィス板５０a，５０bがそれぞれホルダー５１a，５１bに支持され配置されている。
【００３３】
図３は前記ホルダー５１aに支持されたオリフィス板５０aの一例を示したのもで、移動方向に沿って複数の孔（例えば、直径２０００μmの孔Ａ，直径４００μmの孔Ｂ，直径２００μmの孔Ｃ，直径１００μmの孔Ｄ，直径２０００μmの孔に電子ビームが透過できる薄膜に覆われた孔Ｅ）が形成されている。尚、前記ホルダー５１ｂに支持されたオリフィス板５０ｂも同様な構造である。尚、前記孔Ｅ内を覆っている薄膜は、例えば、炭素、或いは炭素とアルミ、或いは炭素とプラスチックから成る膜厚数１０nm以下の膜で、例えば、真空用接着剤で孔Ｅを覆うように孔周囲に粘着固定されている。
【００３４】
同じように、前記対物レンズ下極９´の上面，下面には、それぞれ、該上面，下面に沿って電子ビーム通過孔を横切る方向に移動可能なオリフィス板５０ｃ，５０ｄがそれぞれホルダー５１ｃ，５１ｄに支持され配置されており、前記ホルダー５１ｃに支持されたオリフィス板５０ｃ及びホルダー５１ｄに支持されたオリフィス板５０ｄにも、前記ホルダー５１aに支持されたオリフィス板５０aと同様に、移動方向に沿って複数の孔が形成されている。
【００３５】
図中５２a，５２b，５２c，５２dは前記各ホルダー５１a，５１b，５１c，５１dを移動させるための駆動装置、５３は制御装置１８からの移動指令に基づいて前記各駆動装置５２a，５２b，５２c，５２dに移動信号を供給する移動制御装置である。尚、オリフィス板は、対物レンズ上極８´，下極９´の夫々の上面，下面に配置されたときに密着固定し、前記各ホルダー５１a，５１b，５１c，５１dが移動するときには緩む機構が組み込まれている(図示せず)。
【００３６】
２１，２２は観察室１３内に設置された移動可能な暗視野検出器又は明視野用検出器で、検出した出力信号を増幅器２３に送り、ＡＤ変換器２４を介して、制御装置１８に送る。尚、３３´は、排気管３４を介して前記対物レンズ上極８´のオリフィス板５０ａと５０ｂで囲まれた空間部と、排気管３５を介して前記対物レンズ下極９´のオリフィス板５０ｃと５０ｄで囲まれた空間部の排気を行う排気ポンプである。
【００３７】
このような構成の透過電子顕微鏡において、試料の反応過程を観察する場合、先ず、反応速度に対応した雰囲気ガス圧力を設定すると同時に、設定したガス圧力の下で試料室７内の雰囲気ガスが照射系レンズ室３や結像系レンズ室１２に漏れて真空低下を引き起こしてしまうことのない様な直径の孔或いは孔の無い部分を選択して電子ビームの光軸Ｏ上に位置する様に前記オリフィス板５０ａ，５０ｂ，５０ｃ，５０ｄを支持した前記ホルダー５１ａ，５１ｂ，５１ｃ，５１ｄを移動させ、各々のオリフィス板を対物レンズの上極８´及び下極９´の夫々の上面，下面に密着固定させる。
【００３８】
例えば、反応の速度を中程度にする場合、試料周囲のガス圧力を１ｋＰa程度に設定し、前記各オリフィス板５０ａ，５０ｂ，５０ｃ，５０ｄの孔として直径が、例えば、２００μｍ以下の孔が電子ビームの光軸Ｏ上に位置する様に前記各ホルダー５１ａ，５１ｂ，５１ｃ，５１ｄが移動し、該各々のオリフィス板が対物レンズ上極８´及び下極９´の夫々の上面，下面に密着固定する。
【００３９】
一方、反応の速度を中程度より速めにする場合、試料周囲の圧力を１ｋＰaより高く設定し、前記各オリフィス板５０ａ，５０ｂ，５０ｃ，５０ｄの孔として直径が、例えば、１００μｍ以下の孔が電子ビームの光軸Ｏ上に位置する様に前記各ホルダー５１ａ，５１ｂ，５１ｃ，５１ｄが移動し、該各々のオリフィス板が対物レンズ上極８´及び下極９´の夫々の上面，下面に密着固定する。
【００４０】
他方、反応の速度を中程度より遅くする場合、試料周囲の圧力を１ｋＰaより低く設定し、前記各オリフィス板５０ａ，５０ｂ，５０ｃ，５０ｄの孔として直径が、例えば、４００μｍ以下の孔或いは孔の無い部分が電子ビームの光軸Ｏ上に位置する様に前記各ホルダー５１ａ，５１ｂ，５１ｃ，５１ｄが移動し、該各々のオリフィス板が対物レンズ上極８´及び下極９´の夫々の上面，下面に密着固定する。
【００４１】
ここでは、例えば、反応の速度を中程度にする場合について説明する。
【００４２】
制御装置１８からの指令によりガスバルブ３８が開くと、ガスボンベ３７から雰囲気ガスがガス流量制御装置３９，ガスノズル４０を介して試料室７内に供給される。この時、前記ガス流量制御装置３９は、前記試料室７内のガス圧力が１ｋＰa程度になる様に前記ガスボンベ３７からのガス流量を調整する。尚、前記試料室７内の圧力は、例えば、真空計（図示せず）により常にモニターされており、該真空計からの圧力信号に基づいて前記制御装置１８は前記ガス流量制御装置３９が行うガス流量調整を適宜コントロールしている。
【００４３】
同時に、前記制御装置１８からの指令により移動制御装置５３は各駆動装置５２a，５２ｂ，５２ｃ，５２ｄに移動信号を送り、各々に取り付けられたオリフィス板５０a，５０ｂ，５０ｃ，５０ｄの直径２００μｍの孔Ｃが電子ビーム光軸Ｏ上に来る様に、各駆動装置５２a，５２ｂ，５２ｃ，５２ｄはそれぞれのホルダー５１a，５１ｂ，５１ｃ，５１ｄを移動させると、各々のオリフィス板が対物レンズ上極８´及び下極９´の夫々の上面，下面に密着固定する。
【００４４】
この様な操作により、前記ガスボンベ３７からガス流量制御装置３９及びガスノズル４０を介して試料５表面近傍に吹き付けられる雰囲気ガスにより該試料表面は所定（中程度）の反応が誘発される。
【００４５】
この時、前記対物レンズ下極８´の上面，下面各々に位置しているオリフィス板５０a，５０ｂ、対物レンズ下極９´の上面，下面各々に位置している５０ｃ，５０ｄの各孔Ｃが電子ビーム光軸Ｏ上に位置しているので、前記試料室７内の雰囲気ガスが前記各オリフィス板の孔Ｃを介して照射系レンズ室３や結像系レンズ室１２に漏れてしまうことが制限されるため、電子顕微鏡の観察を妨げることはない。
【００４６】
尚、各オリフィス板の孔Ｃが電子ビーム光軸Ｏ上に位置する様にしたが、該孔より径の小さい孔Ｄが電子ビーム光軸Ｏ上に位置する様にしても良い。
【００４７】
この様にして試料表面と雰囲気ガスとの反応の観察が終了したら、前記制御装置１８の指令により前記ガスバルブを閉じ、前記試料５上への雰囲気ガスの供給を停止する。そして、該試料室内を排気ポンプ３６で所定の圧力（真空度）になるまで排気する。
【００４８】
同時に、前記制御装置１８からの指令により移動制御装置５３は各駆動装置５２a，５２ｂ，５２ｃ，５２ｄに移動信号を送り、各々に取り付けられたオリフィス板５０a，５０ｂ，５０ｃ，５０ｄの、例えば、直径２０００μｍの孔Ａが電子ビーム光軸Ｏ上に来る様に、各駆動装置５２a，５２ｂ，５２ｃ，５２ｄはそれぞれホルダー５１a，５１ｂ，５１ｃ，５１ｄを移動させ、該各々のオリフィス板が対物レンズ上極８´及び下極９´の夫々の上面，下面に密着固定する。
【００４９】
尚、直径２０００μｍの孔Ａが電子ビーム光軸Ｏ上に来る様にしたが、他の直径の孔が来る様にしても良いし、前記オリフィス板５０ａ，５０ｂ，５０c，５０dを電子ビームの光軸Ｏ外に完全に外す様に各ホルダーを移動させても良い。
【００５０】
前記の状態から、例えば、暗視野像を観察する場合には、電子銃２からの電子ビームは所定の加速電圧で加速され、該加速された電子ビームは集束レンズ４で集束され、前記オリフィス板５０a，５０ｂの孔Ａを通過する電子ビームは対物レンズ上極８´により試料５の表面上に集束され、走査コイル６により試料５表面上を二次元的に走査する。
【００５１】
この時、該試料５で散乱され、前記オリフィス板５０ｃ，５０ｄの孔Ａを通過する電子は、対物レンズ下極９´，中間レンズ１６a，投射レンズ１６bにより暗視野用検出器２１の検出面に照射し、該暗視野用検出器の出力信号は増幅器２３、ＡＤ変換器２４を介して制御装置１８に送られ、該制御装置は前記暗視野信号に所定の信号処理を施し、表示装置１９に送るので該表示装置の表示画面上には暗視野像が表示される。
【００５２】
この時、単なる暗視野像ではなく、高散乱角円環状検出暗視野法による暗視野像を観察する場合には、前記暗視野用検出器２１として、例えば試料から７０ｍradから１５０ｍrad程度の高角度に散乱された電子を効率良く検出することができる円環状の検出器を設け、少なくともオリフィス板５０ｃ，５０ｄの、例えば、一番孔径の大きな直径２０００μｍの孔Ａが電子ビーム光軸Ｏ上に来る様に前記ホルダー５１ｃ，５１ｄを移動させるか、或いは、前記オリフィス板５０ｃ，５０ｄを電子ビームの光軸Ｏ外に完全に外す様に各ホルダーを移動させる。この様にすれば、高角度で散乱した電子はオリフィス板５０ｃ，５０ｄに遮断されることなく、前記円環状の検出器に検出され、原子番号に依存するコントラストを有するＨＤＤＦ像を得ることが出来る。
【００５３】
この様に高角度で散乱した電子が途中で遮蔽されることなく、検出器に十分の量が検出されるため、回折効果が少ないＨＡＡＤＦ像を明瞭に観察することが可能となった。
【００５４】
さて、より高いガス圧力下、例えば、数１０ｋＰa以上で、試料の反応の様子を観察する場合があり、この様な観察を行う場合を次に説明する。
【００５５】
制御装置１８からの指令によりガスバルブ３８を開き、ボンベ３７からの雰囲気ガスがガス流量制御装置３９，ガスノズル４０を介して試料室７内に供給されるようにする。この時、前記試料室７内のガス圧が所定の圧力になる様に、前記ガス流量制御装置３９は真空計（図示せず）でモニターされている圧力信号に基づいて前記ガスボンベ３７からのガス流量を調整する。
【００５６】
同時に、前記制御装置１８からの指令により移動制御装置５３は各駆動装置５２ｂ，５２ｃに移動信号を送り、各々に取り付けられたオリフィス板５０ｂ，５０ｃの孔Ｅ（電子ビームは透過させるが雰囲気ガスを通さない膜で覆われている孔）が電子ビーム光軸Ｏ上に来る様に、各駆動装置５２ｂ，５２ｃはそれぞれホルダー５１ｂ，５１ｃを移動させ、該各々のオリフィス板を対物レンズ上極８´及び下極９´の夫々の上面，下面に密着固定する。
【００５７】
この様な操作により、前記ガスボンベ３７からガス流量制御装置３９及びガスノズル４０を介して試料５近傍に吹き付けられる雰囲気ガスにより該試料は反応を始める。この時、前記対物レンズ上極８´の下面の位置しているオリフィス板５０ｂ、対物レンズ上極９´の上面の位置している５０ｃの孔Ｅが電子ビーム光軸Ｏ上に位置しているので、前記試料室７内の雰囲気ガスが前記各オリフィス板の孔Ｅを介して照射系レンズ室３や結像系レンズ室１２に漏れることはない。
【００５８】
この状態において、電子銃２からの電子ビームは加速電圧で加速され、該加速された電子ビームは集束レンズ４により、前記オリフィス板５０ｂの孔Ｅを通過する電子ビームは対物レンズ上極８´を通って試料５の表面上に集束される。
【００５９】
この時、該試料５を透過し、前記オリフィス板５０ｃの孔Ｅを通過する電子は、対物レンズ下極９´，中間レンズ１６a及び投射レンズ１６ｂを通って拡大、結像し、ＣＣＤカメラ１５の検出面に照射され、該カメラの出力信号はＡＤ変換器１７を介して制御装置１８に送られ、該制御装置は所定の信号処理を施して、表示装置１９に送るので、該表示装置の表示画面上には雰囲気ガスと試料表面との反応の様子が表示されることになる。
【００６０】
また、前記各オリフィス板に形成された孔の数や孔の径は本実施例に限定されるものではない。
【図面の簡単な説明】
【００６１】
【図１】従来の試料室にガスを供給する手段を備えた透過電子顕微鏡の一概略例を示したものである。
【図２】本発明を実施する装置の一例である試料室にガスを供給する手段を備えた透過電子顕微鏡の一概略例を示したものである。
【図３】図２に示した装置の一部詳細を示す。
【符号の説明】
【００６２】
１…電子銃室
２…電子銃
３…照射系レンズ室
４…集束レンズ
５…試料
６…走査コイル
７…試料室
８，８´…対物レンズ上極
９，９´…対物レンズ下極
１１a，１１b，１１c，１１d…オリフィス
１２…結像系レンズ室
１３…観察室
１４…蛍光板
１５…ＣＣＤカメラ
１６a…中間レンズ
１６b…投射レンズ
１７、２４…ＡＤ変換器
１８…制御装置
１９…表示装置
２０…入力装置
２１…暗視野用検出器
２２…明視野用検出器
２３…増幅器
３１，３２，３３,３３´，３６…排気ポンプ
３４，３５…排気管
３７…ガスボンベ
３８…ガスバルブ
３９…ガス流量制御装置
４０…ガスノズル
５０…オリフィス板
５１…ホルダー
５２…駆動装置
５３…移動制御装置
【図１】
2009152087.tif 000003
【図２】
2009152087.tif 000004
【図３】
2009152087.tif 000005